(57)【要約】【課題】油圧ショベルなどの作業車両により雑草や雑木などの刈り取り作業を行う際、石や草木等の飛散を防止する範囲が非常に広い場合であっても、複数の作業者の負担なく作業車両とともに移動して石や草木等の飛散を防止することが可能な飛散防止装置およびこれを備えた作業車両ならびに飛散防止方法の提供。【解決手段】下部走行体２上に旋回可能に設置された上部旋回体３に草刈り機が装着された油圧ショベル１の下部走行体２の側方にフェンス支持具６１を取り付け、フェンス支持具６１に防護フェンス６２を支持させる。【選択図】図６
2015073437.tif 000002
【特許請求の範囲】
【請求項１】
下部走行体上に旋回可能に設置された上部旋回体に草刈り機が装着された作業車両の前記下部走行体の側方に取り付けられるフェンス支持具と、
前記フェンス支持具に支持される防護フェンスと
を有する飛散防止装置。
【請求項２】
前記防護フェンスは、水平方向の両端部を前記作業車両側に向かって傾斜させたものである請求項１記載の飛散防止装置。
【請求項３】
下部走行体上に旋回可能に設置された上部旋回体に草刈り機が装着された作業車両であって、
前記下部走行体の側方に取り付けられるフェンス支持具と、
前記フェンス支持具に支持される防護フェンスと
を有する作業車両。
【請求項４】
下部走行体上に旋回可能に設置された上部旋回体に草刈り機が装着された作業車両による刈り取り作業時の飛散物の飛散を防止する飛散防止方法であって、
前記下部走行体の側方にフェンス支持具を取り付け、前記フェンス支持具に防護フェンスを支持させることを特徴とする飛散防止方法。
【発明の詳細な説明】
【技術分野】
【０００１】
本発明は、作業車両による雑草や雑木などの刈り取り作業時の石や草木等の飛散物の飛散を防止する飛散防止装置およびこれを備えた作業車両ならびに飛散防止方法に関する。
【背景技術】
【０００２】
高速道路や一般道路における道路際法面の雑草や雑木などの刈り取りには、草刈り機アタッチメントを取り付けた油圧ショベルが用いられる。また、その作業時には、石や草木等の飛散物の飛散を防止するため、飛散防止ネットを使用するが、この飛散防止ネットは油圧ショベルの作業範囲以上の広範囲をカバーする必要があるため、非常に大きいものとなっている。そのため、従来、この飛散防止ネットは作業車両のオペレーター以外の複数の作業者が手で持ち、油圧ショベルの移動に合わせて一緒に移動している。
【０００３】
また、手で持って移動する際の労力を軽減するものとして、例えば特許文献１には、軽量の金属を用いたフレームの内部にネットを張り、持ち運びができるように取っ手を取り付けるとともに、車輪を懸架したフレームの駆体に固定して自立可能とした飛散防止ネットが記載されている。駆体の前後に設けられた連結用Ｌ字型ピンおよび連結用リングを用いて、複数台を連結したり、車両等に連結して車両毎移動することも可能となっている。
【先行技術文献】
【特許文献】
【０００４】
【特許文献１】登録実用新案第３１０７６４９号公報
【発明の概要】
【発明が解決しようとする課題】
【０００５】
前述のように、油圧ショベルによる雑草や雑木などの刈り取り作業時に、複数の作業者が非常に大きな飛散防止ネットを手で持ち、油圧ショベルの移動に合わせて移動しなければならず、大変な労力を要する。また、特許文献１に記載の飛散防止ネットは、自立可能であり、フレームの躯体に備えられた車輪によって走行可能となっているものの、飛散防止ネットが大きい場合にはバランスが悪くなり、自立が困難となるばかりか、車輪による走行中にバランスを崩して倒れてしまう恐れもある。
【０００６】
そこで、本発明においては、油圧ショベルなどの作業車両により雑草や雑木などの刈り取り作業を行う際、石や草木等の飛散物の飛散を防止する範囲が非常に広い場合であっても、複数の作業者の負担なく作業車両とともに移動して飛散物の飛散を防止することが可能な飛散防止装置およびこれを備えた作業車両ならびに飛散防止方法を提供することを目的とする。
【課題を解決するための手段】
【０００７】
本発明の飛散防止装置は、下部走行体上に旋回可能に設置された上部旋回体に草刈り機が装着された作業車両の下部走行体の側方に取り付けられるフェンス支持具と、フェンス支持具に支持される防護フェンスとを有する。
【０００８】
また、本発明の飛散防止方法は、下部走行体上に旋回可能に設置された上部旋回体に草刈り機が装着された作業車両による刈り取り作業時の飛散物の飛散を防止する飛散防止方法であって、下部走行体の側方にフェンス支持具を取り付け、フェンス支持具に防護フェンスを支持させることを特徴とする。
【０００９】
本発明の飛散防止装置および飛散防止方法によれば、作業車両の下部走行体の側方のフェンス支持具により防護フェンスが支持されているため、この防護フェンスは作業車両とともに移動する。すなわち、本発明の飛散防止装置および飛散防止方法によれば、防護フェンスを作業車両とともに移動しながら、作業車両の上部旋回体を旋回して草刈り機によって作業することが可能となる。
【００１０】
ここで、防護フェンスは、水平方向の両端部を作業車両側に向かって傾斜させたものであることが望ましい。これにより、作業車両の草刈り機によって跳ね飛ばされた石や草木等の飛散物が、この防護フェンスの傾斜部分に当たると、作業車両側に跳ね返されるようになる。
【発明の効果】
【００１１】
（１）下部走行体上に旋回可能に設置された上部旋回体に草刈り機が装着された作業車両の下部走行体の側方に取り付けられるフェンス支持具と、フェンス支持具に支持される防護フェンスとを有する構成により、防護フェンスを作業車両とともに移動しながら、作業車両の上部旋回体を旋回して草刈り機によって作業することが可能となり、作業車両のオペレーター以外の複数の作業者の負担なく石や草木等の飛散を広範囲に防止することが可能となる。
【００１２】
（２）防護フェンスが水平方向の両端部を作業車両側に向かって傾斜させたものであることにより、作業車両の草刈り機によって跳ね飛ばされた石や草木等の飛散物は、この防護フェンスの傾斜部分に当たると、作業車両側に跳ね返されるようになり、飛散物をより狭い範囲内に抑えることが可能となる。
【図面の簡単な説明】
【００１３】
【図１】本発明の実施の形態における飛散防止装置を備えた作業車両を示す図であって、（ａ）は平面図、（ｂ）は正面図である。
【図２】図１の飛散防止装置のフェンス支持具周りの拡大図であって、（ａ）は平面図、（ｂ）は正面図である。
【図３】支持ブラケットの詳細を示す図であって、（ａ）は平面図、（ｂ）は正面図、（ｃ）は左側面図である。
【図４】支持アームの詳細を示す図であって、（ａ）は平面図、（ｂ）は正面図、（ｃ）は左側面図である。
【図５】第１フェンスの詳細を示す図であって、（ａ）は正面図、（ｂ）は右側面図である。
【図６】本発明の別の実施形態を示す飛散防止装置を備えた作業車両を示す図であって、（ａ）は平面図、（ｂ）は正面図、（ｃ）はＡ−Ａ断面図である。
【図７】支持ブラケットの詳細を示す図であって、（ａ）は平面図、（ｂ）は正面図、（ｃ）は左側面図である。
【図８】支持アームの詳細を示す図であって、（ａ）は平面図、（ｂ）は正面図、（ｃ）は右側面図、（ｄ）は左側面図である。
【図９】支持アームの詳細を示す図であって、（ａ）は平面図、（ｂ）は正面図、（ｃ）は右側面図である。
【発明を実施するための形態】
【００１４】
図１は本発明の実施の形態における飛散防止装置を備えた作業車両を示す図であって、（ａ）は平面図、（ｂ）は正面図である。
【００１５】
図１に示すように、本発明の実施の形態における作業車両としての油圧ショベル１は、下部走行体２上に上部旋回体３が設置され、下部走行体２の側方に飛散防止装置１０が備えられたものである。下部走行体２は、進行方向における左右両端部分に巻き掛けられた履帯（無限軌道）４を回転させることで、油圧ショベル１を前進および後進させる。上部旋回体３は、下部走行体２の上面に搭載されており、下部走行体２に対して任意の方向に旋回可能となっている。
【００１６】
また、上部旋回体３は、旋回台５、作業機６、車体部７やキャブ８等から構成される。作業機６は、ブーム６ａと、ブーム６ａの先端に取り付けられたアーム６ｂと、アーム６ｂの先端に取り付けられた草刈り機６ｃとを備える。作業機６は、各油圧シリンダ９ａ，９ｂ，９ｃ等によって、ブーム６ａ、アーム６ｂや草刈り機６ｃ等を上下に移動させながら、雑草や雑木等の刈り取り作業を行う。
【００１７】
車体部７は、内部にエンジン等を収納するエンジンルームや、燃料タンク、作動油タンク、操作弁等を収容する機器室等を備える。キャブ８は、油圧ショベル１のオペレーターが乗降する運転室であり、作業機６の先端部を見通せる位置に配置されている。
【００１８】
飛散防止装置１０は、下部走行体２の側方に取り付けられるフェンス支持具１１と、フェンス支持具１１に支持される防護フェンス１２とを有する。図２は図１の飛散防止装置１０のフェンス支持具１１周りの拡大図であって、（ａ）は平面図、（ｂ）は正面図である。
【００１９】
フェンス支持具１１は、下部走行体２の側面カバー２０に固定される支持ブラケット１３，１５と、支持ブラケット１３，１５にそれぞれ固定される支持アーム１４，１６等から構成される。なお、本実施形態における油圧ショベル１では、側面カバー２０にオペレーターがキャブ８に乗り降りする際に用いる乗降用ステップ２１が備えられており、支持ブラケット１３，１５は、ベースプレート１７を介して乗降用ステップ２１に固定されている。
【００２０】
図３は支持ブラケット１３の詳細を示す図であって、（ａ）は平面図、（ｂ）は正面図、（ｃ）は左側面図である。図４は支持アーム１４の詳細を示す図であって、（ａ）は平面図、（ｂ）は正面図、（ｃ）は左側面図である。なお、支持ブラケット１５および支持アーム１６は、それぞれ支持ブラケット１３および支持アーム１４と左右対称であるため、図示およびその詳細な説明を省略する。
【００２１】
図３に示すように、支持ブラケット１３は、ベースプレート１７に固定するための取付部３０と、角パイプにより形成されたブラケット本体部３１と、防護フェンス１２が固定されるフェンス固定部３２と、支持アーム１４が固定されるアーム固定部３３とを有する。取付部３０、ブラケット本体部３１、フェンス固定部３２およびアーム固定部３３は、鋼材製であり、溶接により一体化されている。取付部３０には、ベースプレート１７に図示しないボルトによって固定するためのボルト孔３４が設けられている。フェンス固定部３２には、防護フェンス１２を図示しないボルトによって固定するためのボルト孔３５が設けられている。アーム固定部３３には、支持アーム１４を図示しないボルトによって固定するためのボルト孔３６が設けられている。
【００２２】
図４に示すように、支持アーム１４は、支持ブラケット１３のアーム固定部３３に固定するための取付部４０と、角パイプにより形成されたアーム本体部４１と、防護フェンス１２が固定されるフェンス固定部４２とを有する。取付部４０、アーム本体部４１およびフェンス固定部４２は、鋼材製であり、溶接により一体化されている。取付部４０には、支持ブラケット１３のアーム固定部３３のボルト孔３６とともに、図示しないボルトによって固定するためのボルト孔４３が設けられている。フェンス固定部４２には、防護フェンス１２を図示しないボルトによって固定するためのボルト孔４４が設けられている。
【００２３】
防護フェンス１２は、分割式となっており、支持ブラケット１３に支持される第１フェンス１２ａと、支持アーム１４に支持される第２フェンス１２ｂと、支持ブラケット１５に支持される第３フェンス１２ｃと、支持アーム１６に支持される第４フェンス１２ｄと、第２フェンス１２ｂの外側に支持される第５フェンス１２ｅと、第４フェンス１２ｄの外側に支持される第６フェンス１２ｆとから構成される。なお、第１〜第６フェンス１２ａ〜１２ｆは、互いに図示しないボルト等によって固定される。
【００２４】
図５は第１フェンス１２ａの詳細を示す図であって、（ａ）は正面図、（ｂ）は右側面図である。図５に示すように、第１フェンス１２ａは、矩形状に形成された外枠部材５０内にネット部材５１を設けたものである。また、外枠部材５０の下部には、水平方向に延びる補強部材５２が設けられている。この補強部材５２と外枠部材５０の下枠材５０ａとの間に、支持ブラケット１３のフェンス固定部３２に固定するための取付部材５３が設けられている。取付部材５３には、フェンス固定部３２のボルト孔３５とともに、図示しないボルトによって固定するためのボルト孔５４が設けられている。
【００２５】
なお、第２フェンス１２ｂ、第３フェンス１２ｃおよび第４フェンス１２ｄについては、第１フェンス１２ａと同様の構成により、その詳細な説明を省略するが、それぞれの取付部材５３は、各フェンス１２ｂ〜１２ｄが固定されるフェンス固定部３２，４２の位置に対応する位置に配置されている。また、第５フェンス１２ｅおよび第６フェンス１２ｆについては、補強部材５２および取付部材５３が省略されている。また、第５フェンス１２ｅおよび第６フェンス１２ｆは、図１（ａ）に示すように、防護フェンス１２の水平方向の両端部が油圧ショベル１側に向かって傾斜するように、それぞれ第２フェンス１２ｂおよび第４フェンス１２ｄに対して斜めに固定される。
【００２６】
上記構成の油圧ショベル１では、下部走行体２の側方のフェンス支持具１１により防護フェンス１２が支持されているため、この防護フェンス１２は油圧ショベル１とともに移動する。すなわち、この油圧ショベル１では、防護フェンス１２を油圧ショベル１とともに移動しながら、上部旋回体３を旋回して草刈り機６ｃによって作業することが可能となっており、油圧ショベル１のオペレーター以外の複数の作業者の負担なく石や草木等の飛散を広範囲に防止することが可能となっている。
【００２７】
また、本実施形態における防護フェンス１２では、水平方向の両端部の第５フェンス１２ｅおよび第６フェンス１２ｆが油圧ショベル１側に向かって傾斜させたものであるため、油圧ショベル１の草刈り機６ｃによって跳ね飛ばされた石や草木等の飛散物は、この第５フェンス１２ｅまたは第６フェンス１２ｆの傾斜部分に当たると、油圧ショベル１側に跳ね返されるようになり、飛散物をより狭い範囲内に抑えられる。
【００２８】
なお、上記実施形態においては、フェンス支持具１１が下部走行体２の側面カバー２０の乗降用ステップ２１に固定されているが、下部走行体２の側方の別の部位に固定しても良い。また、フェンス支持具１１および防護フェンス１２についても、上記実施形態において説明した以外の形状および取り付け構造を採用することも可能である。
【００２９】
次に、本発明の飛散防止装置のより好ましい実施形態について説明する。図６は本発明の別の実施形態を示す飛散防止装置を備えた作業車両を示す図であって、（ａ）は平面図、（ｂ）は正面図、（ｃ）はＡ−Ａ断面図である。なお、以下の説明において、前述した部分と共通の構成については、同一符号を付してその詳細な説明を省略する。
【００３０】
図６に示す飛散防止装置６０は、下部走行体２の側方に取り付けられるフェンス支持具６１と、フェンス支持具６１に支持される防護フェンス６２とを有する。フェンス支持具６１は、下部走行体２の側面カバー２０に固定される支持ブラケット６３，６５と、支持ブラケット６３，６５にそれぞれ固定される支持アーム６４，６６と、ブラケット６３，６５間に固定される支持アーム６７等から構成される。支持アーム６４，６６は、それぞれ分割式となっており、それぞれ支持アーム６４ａ，６４ｂ、支持アーム６６ａ，６６ｂから構成される。
【００３１】
図７は支持ブラケット６３の詳細を示す図であって、（ａ）は平面図、（ｂ）は正面図、（ｃ）は左側面図である。図８は支持アーム６４ａの詳細を示す図であって、（ａ）は平面図、（ｂ）は正面図、（ｃ）は右側面図、（ｄ）は左側面図である。図９は支持アーム６４ｂの詳細を示す図であって、（ａ）は平面図、（ｂ）は正面図、（ｃ）は右側面図である。なお、支持ブラケット６５および支持アーム６６ａ，６６ｂは、それぞれ支持ブラケット６３および支持アーム６４ａ，６４ｂと左右対称であるため、図示およびその詳細な説明を省略する。
【００３２】
図７に示すように、支持ブラケット６３は、ベースプレート１７に固定するための取付部７０と、角パイプにより形成されたブラケット本体部７１と、支持アーム６４ａが固定されるアーム固定部７２と、支持アーム６７が固定されるアーム固定部７３とを有する。取付部７０、ブラケット本体部７１、アーム固定部７２，７３は、鋼材製であり、溶接により一体化されている。取付部７０には、ベースプレート１７に図示しないボルトによって固定するためのボルト孔７４が設けられている。同様に、アーム固定部７２，７３にも、それぞれ支持アーム６４ａ，６７を図示しないボルトによって固定するためのボルト孔７５，７６がそれぞれ設けられている。
【００３３】
図８に示すように、支持アーム６４ａは、支持ブラケット６３のアーム固定部７２に固定するための取付部８０と、角パイプにより形成されたアーム本体部８１と、支持アーム６４ｂが固定されるアーム固定部８２と、防護フェンス６２が固定されるフェンス固定部８３とを有する。取付部８０、アーム本体部８１、アーム固定部８２およびフェンス固定部８３は、鋼材製であり、溶接により一体化されている。取付部８０には、支持ブラケット６３のアーム固定部７２のボルト孔７５とともに、図示しないボルトによって固定するためのボルト孔８４が設けられている。アーム固定部８２には、支持アーム６４ｂを図示しないボルトによって固定するためのボルト孔８５が設けられている。フェンス固定部８３には、防護フェンスを図示しないボルトによって固定するためのボルト孔８６が設けられている。
【００３４】
図９に示すように、支持アーム６４ｂは、支持アーム６４ａのアーム固定部８２に固定するための取付部９０と、角パイプにより形成されたアーム本体部９１と、防護フェンス６２が固定されるフェンス固定部９２とを有する。取付部９０、アーム本体部９１およびフェンス固定部９２は、鋼材製であり、溶接により一体化されている。取付部９０には、支持アーム６４ａのアーム固定部８２のボルト孔８５とともに、図示しないボルトによって固定するためのボルト孔９３が設けられている。フェンス固定部９２には、防護フェンスを図示しないボルトによって固定するためのボルト孔９４が設けられている。なお、ブラケット６３，６５間に固定される支持アーム６７の中間部にも同様のフェンス固定部９６が設けられている。
【００３５】
防護フェンス６２は、第１フェンス６２ａ〜第６フェンス６２ｆの分割式となっており、互いに図示しないボルト等によって連結される。また、前述の支持アーム６４ａ，６４ｂ，６６ａ，６６ｂ，６７のフェンス固定部８３，９２，９６等が各フェンス６２ａ〜６２ｆの連結部に位置し、フェンス固定部８３，９２，９６等に各フェンス６２ａ〜６２ｆが２つずつまとめて固定される。また、支持アーム６４ａ，６４ｂの上部には、それぞれ各フェンス６２ａ〜６２ｆの上下方向の中間部までを支持する支持アーム９４を固定するための取付部８７，９５が設けられている。
【００３６】
上記構成の飛散防止装置６０では、第１フェンス６２ａ〜第６フェンス６２ｆの全てを各フェンス６２ａ〜６２ｆの連結部で支持アーム６４ａ，６４ｂ，６６ａ，６６ｂ，６７に固定して、支持ブラケット６３，６５により下部走行体２の側面カバー２０に支持することができるので、分割式の防護フェンス６２が下部走行体２に強固に固定される。また、支持アーム９４によって各フェンス６２ａ〜６２ｆの上下方向の中間部までを支持アーム６４ａ，６４ｂ，６６ａ，６６ｂに支持しているため、防護フェンス６２の揺れを防止することが可能である。
【産業上の利用可能性】
【００３７】
本発明の飛散防止装置およびこれを備えた作業車両ならびに飛散防止方法は、作業車両による雑草や雑木などの刈り取り作業時の石や草木等の飛散物の飛散防止に有用である。
【符号の説明】
【００３８】
１  油圧ショベル
２  下部走行体
３  上部旋回体
４  履帯（無限軌道）
５  旋回台
６  作業機
６ａ  ブーム
６ｂ  アーム
６ｃ  草刈り機
７  車体部
８  キャブ
１０，６０  飛散防止装置
１１，６１  フェンス支持具
１２，６２  防護フェンス
２０  側面カバー
２１  乗降用ステップ
【図１】
2015073437.tif 000003
【図２】
2015073437.tif 000004
【図３】
2015073437.tif 000005
【図４】
2015073437.tif 000006
【図５】
2015073437.tif 000007
【図６】
2015073437.tif 000008
【図７】
2015073437.tif 000009
【図８】
2015073437.tif 000010
【図９】
2015073437.tif 000011